(57)【特許請求の範囲】
【請求項１】
取付面に取り付け可能な雌型部材と、
前記雌型部材と対になってケーブルを固定する雄型部材と、
を備えるケーブル固定装置であって、
前記雌型部材は、
第１貫通孔を有する第１部分と、
前記第１部分と間隔をあけて対向配置され、第２貫通孔を有する第２部分と、
前記第１部分と前記第２部分とを連結する弾性変形可能な第３部分と、
を有し、
前記雄型部材は、
前記第１部分と前記第２部分との間に挿入され、前記第３部分との間で前記ケーブルを挟む端面を有する挿入部と、
前記挿入部に設けられて当該挿入部の挿入方向に延びる長孔状の第３貫通孔と、
を有し、
前記挿入部は、挿入状態において前記第１部分に対向する面と、前記第２部分に対向する面とのうちの少なくとも一方に、前記端面側の前記対向方向の長さが大きくなるように前記挿入方向に対して傾斜する傾斜面を有し、
前記挿入部が前記第１部分と前記第２部分との間に挿入された状態で、前記第１貫通孔、前記第２貫通孔及び前記第３貫通孔が前記対向方向に重なる、ケーブル固定装置。
【請求項２】
前記端面の前記対向方向の長さは、前記雌型部材に形成される挿入口の前記対向方向の長さよりも大きい、請求項１に記載のケーブル固定装置。
【請求項３】
前記端面は、前記挿入方向及び前記対向方向と直交する方向に段差を有する、請求項１又は２に記載のケーブル固定装置。
【請求項４】
前記挿入部は、前記端面と反対側の端部に、前記対向方向に延びる逆挿入防止突起を有する、請求項１から３のいずれか１項に記載のケーブル固定装置。
【請求項５】
前記第１部分と前記第２部分とのいずれか一方に、外方に突出する突出部が設けられている、請求項１から４のいずれか１項に記載のケーブル固定装置。
【請求項６】
前記第１貫通孔と前記第２貫通孔の少なくともいずれか一方には、内面に雌ネジ部が設けられている、請求項１から５のいずれか１項に記載のケーブル固定装置。
【請求項７】
前記雌型部材と前記雄型部材とを連結する可撓性部材を有する、請求項１から６のいずれか１項に記載のケーブル固定装置。
【請求項８】
請求項１から７のいずれか１項に記載のケーブル固定装置をケーブルとともに固定する前記取付面を備え、
一つのネジを用いて前記取付面に前記ケーブル固定装置を固定するとともに、
前記ネジの締め付けにより、前記雄型部材の前記端面が前記雌型部材の前記第３部分に向かって移動して前記ケーブルを前記雌型部材に押し付けて固定する電気機器。
【発明の詳細な説明】
【技術分野】
【０００１】
本発明は、電源コード等のケーブルを固定するケーブル固定装置、及び、それを備えた電気機器に関する。
【背景技術】
【０００２】
一般に、冷蔵庫等の電気機器においては、例えば電源コードに加わる引っ張り力が機器の内部配線との接続部に伝達することを防止する等の目的で、ケーブル固定装置が備えられる。電源コードには、例えば二芯のコードや三芯のコード等、径が異なる複数種類のコードがある。径が異なる電源コードごとに、異なるケーブル固定装置が必要であるとすると、不経済且つ不便である。
【０００３】
特許文献１には、１つの装置で多様な径寸法のケーブルを固定できるケーブル固定装置が開示される。ケーブル固定装置は、同一構造の一対の把持部材を具備する。ケーブル固定装置は、一対の把持部材を締結手段によって相互連結することにより、異なる径寸法を有する多種類のケーブルを把持面によって圧接把持する。
【０００４】
特許文献２には、径が異なる複数種類の電源コードを保持することができる配線ダクトが開示される。配線ダクトには、電源コード挟持部が設けられる。電源コード挟持部は、可動体を固定体に対して進退可能に固着具で連結することによって、電源コードを挟持凹部にて挟持する。可動体と固定体とのそれぞれには、径が異なる複数種類の電源コードを挟持し得る挟持凹部が形成される。
【先行技術文献】
【特許文献】
【０００５】
【特許文献１】特開平５−３３６６３６号公報
【特許文献２】特開２００３−３３３７２６号公報
【発明の概要】
【発明が解決しようとする課題】
【０００６】
特許文献１及び２の構成では、電源コードを固定するにあたって、コードを挟む位置に配置される少なくとも２つのネジが必要になる。また、例えば特許文献１の構成の場合、一対の把持部材のうちの一方を先に取付対象物（電気機器本体）にネジで固定してからでないと、固定装置へのコードの取り付けが行えない。
【０００７】
以上の点に鑑みて、本発明は、複数種類のケーブルを作業効率良く簡単に取付対象物に固定することができるケーブル固定装置を提供することを目的とする。また、本発明は、そのようなケーブル固定装置を備えた電気機器を提供することを他の目的とする。
【課題を解決するための手段】
【０００８】
上記目的を達成するために本発明の一態様に係るケーブル固定装置は、取付面に取り付け可能な雌型部材と、前記雌型部材と対になってケーブルを固定する雄型部材と、を備えるケーブル固定装置であって、前記雌型部材は、第１貫通孔を有する第１部分と、前記第１部分と間隔をあけて対向配置され、第２貫通孔を有する第２部分と、前記第１部分と前記第２部分とを連結する弾性変形可能な第３部分と、を有し、前記雄型部材は、前記第１部分と前記第２部分との間に挿入され、前記第３部分との間で前記ケーブルを挟む端面を有する挿入部と、前記挿入部に設けられて当該挿入部の挿入方向に延びる長孔状の第３貫通孔と、を有し、前記挿入部は、挿入状態において前記第１部分に対向する面と、前記第２部分に対向する面とのうちの少なくとも一方に、前記端面側の前記対向方向の長さが大きくなるように前記挿入方向に対して傾斜する傾斜面を有し、前記挿入部が前記第１部分と前記第２部分との間に挿入された状態で、前記第１貫通孔、前記第２貫通孔及び前記第３貫通孔が前記対向方向に重なることを特徴とする。
【０００９】
上記構成のケーブル固定装置において、前記端面の前記対向方向の長さは、前記雌型部材に形成される挿入口の前記対向方向の長さよりも大きいのが好ましい。
【００１０】
上記構成のケーブル固定装置において、前記端面は、前記挿入方向及び前記対向方向と直交する方向に段差を有するのが好ましい。
【００１１】
上記構成のケーブル固定装置において、前記挿入部は、前記端面と反対側の端部に、前記対向方向に延びる逆挿入防止突起を有するのが好ましい。
【００１２】
上記構成のケーブル固定装置において、前記第１部分と前記第２部分とのいずれか一方に、外方に突出する突出部が設けられているのが好ましい。
【００１３】
上記構成のケーブル固定装置において、前記第１貫通孔と前記第２貫通孔の少なくともいずれか一方には、内面に雌ネジ部が設けられてよい。
【００１４】
上記構成のケーブル固定装置は、前記雌型部材と前記雄型部材とを連結する可撓性部材を有してもよい。
【００１５】
また、上記目的を達成するために本発明の一態様に係る電気機器は、上記構成のケーブル固定装置をケーブルとともに固定する前記取付面を備え、一つのネジを用いて前記取付面に前記ケーブル固定装置を固定するとともに、前記ネジの締め付けにより、前記雄型部材の前記端面が前記雌型部材の前記第３部分に向かって移動して前記ケーブルを前記雌型部材に押し付けて固定することを特徴とする。
【発明の効果】
【００１６】
本発明によると、例えば１つの締結具（代表例はネジ）によってケーブルのケーブル固定装置に対する固定と、ケーブル固定装置の取付面への固定を行うことができる。本発明では、締結具の取り付け位置とケーブルを通す位置がずれるために、ケーブル固定装置の取付面への固定を行う前にケーブルをケーブル固定装置に取り付けておくことができる。また、本発明のケーブル固定装置は、長孔状の第３貫通孔を利用して雄型部材の位置調節を行うことによって、径の異なる複数種類のケーブルに対応することができる。すなわち、本発明によると、複数種類のケーブルを作業効率良く簡単に取付対象物に固定することができるケーブル固定装置を提供できる。また、本発明によると、そのようなケーブル固定装置を備えた電気機器を提供できる。
【図面の簡単な説明】
【００１７】
【図１】本発明の第１実施形態に係るケーブル固定装置の概略斜視図
【図２】本発明の第１実施形態に係るケーブル固定装置の概略斜視図で、図１とは異なる方向から見た図
【図３】本発明の第１実施形態に係るケーブル固定装置が備える雌型部材の概略上面図
【図４】本発明の第１実施形態に係るケーブル固定装置が備える雌型部材の概略側面図
【図５】本発明の第１実施形態に係るケーブル固定装置が備える雄型部材の概略上面図
【図６】本発明の第１実施形態に係るケーブル固定装置が備える雄型部材の概略側面図
【図７】図１のＡ−Ａ位置における概略断面図
【図８】本発明の第１実施形態に係るケーブル固定装置が適用された電気機器の一例である冷蔵庫を背面側から見た概略平面図
【図９】本発明の実施形態に係る冷蔵庫が備える取付面の構成を示す概略平面図
【図１０】本発明の第１実施形態に係るケーブル固定装置が取付面に取り付けられた状態を示す概略断面図
【図１１】本発明の第１実施形態に係るケーブル固定装置における電源コードの固定状態を示す断面模式図
【図１２】本発明の第２実施形態に係るケーブル固定装置の概略断面図
【図１３】本発明の第３実施形態に係るケーブル固定装置の概略側面図
【図１４】本発明の第３実施形態に係るケーブル固定装置の概略側面図で、雄型部材が雌型部材に挿入された状態を示す図
【発明を実施するための形態】
【００１８】
以下、本発明の実施形態に係るケーブル固定装置について詳細に説明する。実施形態に係るケーブル固定装置は、電源コード等のケーブルの固定に利用される。
＜第１実施形態＞
【００１９】
図１及び図２は、本発明の第１実施形態に係るケーブル固定装置１の概略斜視図である。図１と図２では、ケーブル固定装置１を見る方向が異なる。図１には、本発明の理解を容易とするために、破線でケーブルＣが示されている。図１及び図２に示すように、ケーブル固定装置１は、雌型部材１０と雄型部材２０とを備える。本実施形態では、雌型部材１０と雄型部材２０とは分離しており、両部材１０、２０は別部品である。雌型部材１０及び雄型部材２０は、例えば樹脂又は金属で構成される。雌型部材１０は、取付面に取付可能に設けられる。雄型部材２０は、雌型部材１０と対になってケーブルＣを固定する。
【００２０】
図１及び図２に示すように、雌型部材１０は、第１部分１１と第２部分１２とを有する。第１部分１１と第２部分１２とは、間隔をあけて対向配置される。本明細書では、第１部分１１と第２部分１２との対向方向を上下方向とする。図１及び図２のＺ方向は上下方向に該当する。また、上下方向に直交する２つのうちの一方を前後方向とし、他方を左右方向とする。前後方向は、雄型部材２０の一部が雌型部材１０に挿入される挿入方向で、図１及び図２のＸ方向が該当する。左右方向は、図１及び図２のＹ方向が該当する。なお、本明細書における上下、前後、左右は、あくまで説明の便宜のために定義した方向であって、本発明に係るケーブル固定装置の使用時の姿勢を限定する意図はない。
【００２１】
図３は、本発明の第１実施形態に係るケーブル固定装置１が備える雌型部材１０の概略上面図である。図４は、本発明の第１実施形態に係るケーブル固定装置１が備える雌型部材１０の概略側面図である。図１から図４を参照して、雌型部材１０の構成を更に詳細に説明する。
【００２２】
雌型部材１０は、第１部分１１と第２部分１２とを連結する弾性変形可能な第３部分１３を更に有する。第１部分１１、第２部分１２及び第３部分１３は同一部材であり、一体的に形成される。本実施形態では、第３部分１３は、第１部分１１と第２部分１２の前後方向の同じ側にある端部同士を連結する。雌型部材１０は、前後方向の一方側と、左右方向の両側に開口を有する。これら３つの開口のうち、雄型部材２０の一部は、前後方向の一方側に位置する開口から雌型部材１０に挿入される。以後、前後方向の一方側に位置する開口を挿入口１０ａとする。また、雌型部材１０において、第３部分１３側を前側、挿入口１０ａ側を後側とする。
【００２３】
本実施形態では、第１部分１１及び第２部分１２は略平板状である。上面視において、第１部分１１と第２部分１２とは略矩形状である。第１部分１１と第２部分１２とは、前後方向の長さが異なる。詳細には、第２部分１２の方が第１部分１１に比べて前後方向の長さが長い。第１部分１１と第２部分１２とは、左右方向の長さが略同一である。ただし、これらの構成は例示にすぎない。例えば、第１部分１１と第２部分１２との前後方向の長さは略同一であってもよい。また、第１部分１１と第２部分１２とは、左右方向の長さが異なってもよい。本実施形態では、第１部分１１は、後側に位置する２つの角部の一方に切り欠き１１２を有する。なお、切り欠き１１２は、場合によっては設けられなくてもよい。
【００２４】
第１部分１１の上面１１ａは前後方向と平行な平面である。第１部分１１は、下面１１ｂに傾斜面を有する。詳細には、第１部分１１の下面１１ｂは、前後方向において、挿入口１０ａ側から所定の位置までが前後方向と平行な平面である。また、所定の位置より第３部分１３側が、前後方向に対して傾斜する傾斜面である。傾斜面は、平面で構成されてもよいし、曲面で構成されてもよい。傾斜面により、第１部分１１は後側に比べて前側が薄くなっている。
【００２５】
第２部分１２の下面１２ａは前後方向と平行な平面である。第２部分１２は、上面１２ｂに傾斜面を有する。詳細には、第２部分１２の上面１２ｂは、前後方向において、後端部から所定の位置までが前後方向と平行な平面である。また、所定の位置より第３部分１３側が、前後方向に対して傾斜する傾斜面である。傾斜面は、平面で構成されてもよいし、曲面で構成されてもよい。傾斜面により、第２部分１２は後側に比べて前側が薄くなっている。
【００２６】
本実施形態においては、第１部分１１の下面１１ａと第２部分１２の上面１２ａとは、上下方向に重なる位置において、第３部分１３を上下方向に二等分する平面に対して略対称形状である。第１部分１１と第２部分１２との間に形成される空間は、前方側において、挿入口１０ａ（後側）に比べて上下方向の幅が広い部分を有する。これにより、様々な太さを有するケーブルＣに対応し易くできる。
【００２７】
第１部分１１は第１貫通孔１１１を有する。第１貫通孔１１１は、第１部分１１を上下方向に貫通する。本実施形態では、第１貫通孔１１１は、第１部分１１の左右方向の中央部に位置する。第１貫通孔１１１は、前後方向の後側（挿入口１０ａ）寄りに設けられる。
【００２８】
第２部分１２は第２貫通孔１２１を有する。第２貫通孔１２１は、第２部分１２を上下方向に貫通する。第１貫通孔１１１と第２貫通孔１２１とは上下方向に重なる。本実施形態では、上下方向からの平面視において、第１貫通孔１１１及び第２貫通孔１２１は円形であり、両者１１１、１２１の中心位置がほぼ重なる。
【００２９】
第３部分１３は湾曲した形状である。本実施形態では、第３部分１３の内面側には、凹部１３ａ（後述の図７参照）が形成されている。凹部１３ａは、場合によっては形成しなくてもよい。雌型部材１０は、第２部分１２に、外方に突出する突出部１４を有する。詳細には、突出部１４は、第２部分１２の下面１２ａから下方に向けて突出する。本実施形態では、突出部１４は、上下方向からの平面視において略角形である。ただし、これは例示にすぎず、上下方向からの平面視において略三角形状又は略Ｌ字形状等であってもよい。突出部１４は、第２部分１２と別部材で構成してもよいが、第２部分１２と同一部材で形成するのが好ましい。突出部１４は、場合によっては設けなくてもよい。
【００３０】
図５は、本発明の第１実施形態に係るケーブル固定装置１が備える雄型部材２０の概略上面図である。図６は、本発明の第１実施形態に係るケーブル固定装置１が備える雄型部材２０の概略側面図である。図７は、図１のＡ−Ａ位置における概略断面図である。図１、図２、及び、図５から図７を参照して、雄型部材２０の構成を詳細に説明する。
【００３１】
雄型部材２０は、第１部分１１と第２部分１２との間に挿入される挿入部２１を有する。挿入部２１は、上下方向からの平面視において略矩形状に設けられる。挿入部２１は、第３部分１３との間でケーブルＣを挟む端面２１ａを有する。端面２１ａは、左右方向に段差を有する。詳細には、端面２１ａは、左右方向の中央部が他に比べて後方に突出した形状になっている。本実施形態では、突出した部分の形状は、上下方向からの平面視において略矩形状であるが、これに限定されず、略円形状等であってもよい。なお、場合によっては、端面２１ａに段差を設けなくてもよい。
【００３２】
端面２１ａの上下方向の長さｈ（図６参照）は、雌型部材１０に形成される挿入口１０ａの上下方向の長さＨ（図４参照）よりも大きい。詳細には、端面２１ａの長さｈは、挿入口１０ａの長さＨよりも若干大きい。雌型部材１０は、挿入口１０ａの上下方向の長さＨを拡げる方向に弾性変形可能である。挿入部２１は、挿入口１０ａの上下方向の長さＨが拡げられた状態で第１部分１１と第２部分１２との間に挿入される。第１部分１１と第２部分１２との間に挿入された状態の挿入部２１は、弾性力によって雌型部材１０に軽く保持される。なお、場合によっては、端面２１ａの長さｈは、挿入口１０ａの長さＨ以下であってもよい。
【００３３】
雄型部材２０は、上下方向に挿入部２１を貫通するとともに、挿入部２１の前後方向に延びる長孔状の第３貫通孔２２を有する。詳細には、第３貫通孔２２は左右方向の中央部に設けられる。本実施形態では、第３貫通孔２２の形状は略スタジアム形状である。図７に示すように、挿入部２１が第１部分１１と第２部分１２との間に挿入された状態で、第１貫通孔１１１、第２貫通孔１２１及び第３貫通孔長孔２２は上下方向に重なる。このために、挿入部２１が第１部分１１と第２部分１２との間に挿入された状態で、第１貫通孔１１１、第２貫通孔１２１及び第３貫通孔長孔２２には、ネジ等の締結具を挿入可能である。
【００３４】
挿入部２１は、第１部分１１と第２部分１２との間に挿入された挿入状態において、第１部分１１に対向する面（上面）と、第２部分１２に対向する面（下面）とのうち少なくとも一方に傾斜面を有する。傾斜面は、前後方向に対して傾斜する。傾斜面は、平面で構成するのが好ましいが、曲面であってもよい。
【００３５】
本実施形態では、挿入部２１は、その上下方向を二等分する面に対して略対称形状である。すなわち、図７に示すように、挿入部２１は、上面に第１傾斜面２１ｂを有し、下面に第２傾斜面２１ｃを有する。２つの傾斜面２１ｂ、２１ｃの存在により、挿入状態の挿入部２１は、前方から後方に向けて上下方向の長さ（幅）が小さくなっている。挿入部２１は、端面２１ａ側の上下方向の長さが大きくなるように前後方向に傾斜する傾斜面２１ｂ、２１ｃを有する。なお、挿入部２１は、上面及び下面のうちの一方（本例では上面）にのみ傾斜面を有してもよい。また、挿入部２１の上面及び下面は、場合によっては、前後方向と平行な平面であってもよい。
【００３６】
挿入部２１は、前後方向において、端面２１ａと反対側の端部に、上下方向に延びる逆挿入防止突起２３を有する。本実施形態では、逆挿入防止突起２３は、左右方向の一方側の端部に設けられる。場合によっては、逆挿入防止突起２３は、左右方向の両方の端部に設けられてもよい。逆挿入防止突起２３は、挿入部２１の上面及び下面の両方、又は一方に設けられてよい。本実施形態では、逆挿入防止突起２３は上面にのみ設けられる。逆挿入防止突起２３は、挿入部２１の上面から上方に延びる壁部である。端面２１ａが後側となる向きで挿入部２１が挿入口１０ａに入れられる場合に、逆挿入防止突起２３が雌型部材１０の一部に当たり、挿入部２１は挿入口１０ａから内側に入れることができない。
【００３７】
なお、上述のように、第１部分１１の前方の角部には切り欠き１１２が形成されている。この切り欠き１１２の存在により、挿入部２１は、正しい向きで挿入口１０ａから挿入された場合、逆挿入防止突起２３によって前後方向の動きを妨げられない。逆挿入防止突起２３は、挿入部２１が端面２１ａと反対側から挿入口１０ａに挿入されるのを防止できればよい。当該目的を達成できる範囲で、逆挿入防止突起２３は、その位置、大きさ、形状が適宜変更されてよい。
【００３８】
雄型部材２０は、左右方向から挿入部２１を挟む一対の抜け止め部２４ａ、２４ｂを有する。一対の抜け止め部２４ａ、２４ｂは、挿入部２１の左右方向を二等分する平面に対して略対称である。上下方向において、一対の抜け止め部２４ａ、２４ｂのそれぞれは、第１部分１１と第２部分１２との間隔より大きな幅の部分を有する。これにより、第１部分１１と第２部分１２との間に挿入部２１が挿入された状態において、雄型部材２０が雌型部材１０から左右方向に抜け落ちることを防止できる。
【００３９】
図８は、本発明の第１実施形態に係るケーブル固定装置１が適用された電気機器の一例である冷蔵庫１００を背面側から見た概略平面図である。冷蔵庫１００は、本体部１０１と電源コード１０２とを備える。図８に示すように、冷蔵庫１００の背面側においては、電源コード１０２の一部が、ケーブル固定装置１によって本体部１０１に対して固定される。詳細には、電源コード１０２は、その根元側がケーブル固定装置１によって固定される。ここで、根元側とは、冷蔵庫１００の内部配線と接続される側のことを指している。電源コード１０２は、根元側が固定されているために、電源コード１０２に対する引っ張り力が内部配線との接続部に伝達されることを防止できる。
【００４０】
図９は、本発明の実施形態に係る冷蔵庫１００が備える取付面１０３の構成を示す概略平面図である。取付面１０３には、ケーブル固定装置１が取り付けられる。本実施形態では、取付面１０３は本体部１０１の背面に設けられる。取付面１０３には、角穴部１０３ａとネジ穴部１０３ｂとが設けられる。角穴部１０３ａは、取付面１０３と直交する方向に延びる。角穴部１０３ａは平面視において略矩形状である。ネジ穴部１０３ａは、取付面１０３と直交する方向に延び、その内周面に雌ネジが形成されている。
【００４１】
図１０は、本発明の第１実施形態に係るケーブル固定装置１が取付面１０３に取り付けられた状態を示す概略断面図である。図１０における破線は、ケーブル固定装置１が取付面１０３に取り付けられる際の途中段階の状態を示している。図１０には、電源コード１０２も示されている。
【００４２】
主に図１０を参照しながら、ケーブル固定装置１を用いて電源コード１０２を本体部１０１に固定する手順の一例を示す。まず、電源コード１０２を雌型部材１０に引っ掛ける。具体的には、第１部分１１と第２部分１２との間に電源コード１０２を通す。次に、雄型部材２０を雌型部材１０に係合させる。具体的には、挿入部２１を挿入口１０ａから挿入して、第１部分１１と第２部分１２との間に位置させる。これにより、図１に示す状態が得られる。電源コード１０２は、図１に示すケーブルＣの一例である。
【００４３】
なお、本実施形態では、挿入部２１に逆挿入防止突起２３が設けられている。このために、雌型部材１０に対する挿入部２１の向きを間違えることなく、効率良く挿入部２１の挿入を行える。
【００４４】
また、本実施形態では、挿入口１０ａの上下方向の長さＨ（図４参照）に比べて、端面２１ａの上下方向の長さｈ（図６参照）の方が大きい。このために、挿入部２１は、挿入口１０ａを押し広げながら挿入される。一方、第１部分１１と第２部分１２との間に挿入された挿入部２１は、雌型部材１０の弾性力の存在により、挿入口１０ａから簡単に抜け出すことはできない。また、雄型部材２０は、挿入部２１を挟む一対の抜け止め部２４ａ、２４ｂを有するために、第１部分１１と第２部分１２との間に入れられた挿入部２１は雌型部材１０の側面から脱落しない。
【００４５】
したがって、ケーブル固定装置１は、取付面１０３に取り付けられる前に電源コード１０２をある程度保持することができる。すなわち、本実施形態のケーブル固定装置１によれば、ケーブル固定装置１に対する電源コード１０２の取り付けを制約の少ない状態で行えるために、電源コード１０２の固定作業を効率良く行える。なお、ケーブル固定装置１は、必要であれば、雌型部材１０を先に取付面１０３に固定することも可能である。
【００４６】
電源コード１０２の取り付けが先に行われたケーブル固定装置１は、突出部１４が角穴部１０３ａに挿入された状態で取付面１０３上に載置され、締結具によって取付面１０３に固定される。本実施形態では、締結具はネジ１０４である。詳細には、ネジ１０４は、第１貫通孔１１１、第３貫通孔２２及び第２貫通孔１２１を介して、先端側がネジ穴部１０３ｂに螺合される。突出部１４が角穴部１０３ａに挿入されているために、ネジ１０４の締め付けの際に雌型部材１０が回転することを防止でき、効率良く作業を行える。
【００４７】
また、本実施形態のケーブル固定装置１では、挿入部２１が傾斜面２１ｂ、２１ｃを有する。また、挿入部２１において、ネジ１０４は長孔状の第３貫通孔２２に通される。このために、ネジ１０４の締め付けによって、撓んだ雌型部材１０から力を受けて雄型部材２０は自動的に前進して電源コード１０２を第３部分１３（雌型部材１０）に向けて押し付ける。したがって、電源コード１０２の固定作業を簡単且つ効率良く行える。雌型部材１０に引っ掛けられるケーブルの径の違いによって、雄型部材２０の挿入口１０ａからの前進量は自動的に調節される。このために、電源コード１０２の径が異なっても、同様の作業で適切に電源コード１０２の固定を行うことができる。
【００４８】
図１１は、本発明の第１実施形態に係るケーブル固定装置１における電源コード１０２の固定状態を示す断面模式図である。本実施形態では、挿入部２１の端面２１ａが左右方向に段差を有する。このために、雌型部材１０と雄型部材２０との間に配置される電源コード１０２は、真っ直ぐではなく波打った形状で固定される。この結果、電源コード１０２が引っ張られた場合でも、電源コード１０２をより動き難くできる。
【００４９】
以上のように、第１実施形態のケーブル固定装置１は、径の異なる複数種類のケーブルに対応可能である。また、ケーブル固定装置１は、取付対象物（例えば冷蔵庫）に取り付けられる前に、ケーブルに取り付けることが可能である。更に、ケーブル固定装置１によれば、１本のネジでケーブルの取付対象物に対する固定が可能である。すなわち、第１実施形態のケーブル固定装置１は、複数種類のケーブルを作業効率良く簡単に取付対象物に固定することが可能である。
＜第２実施形態＞
【００５０】
次に、第２実施形態のケーブル固定装置について説明する。第２実施形態のケーブル固定装置は、第１実施形態のケーブル固定装置１の構成と概ね同様である。第２実施形態のケーブル固定装置の説明にあたっては、第１実施形態と重複する部分については同一の符号を付し、特に説明の必要がない場合には、その説明を省略する。
【００５１】
図１２は、本発明の第２実施形態に係るケーブル固定装置２の概略断面図である。雌型部材１０は、第１実施形態と同様に、第１貫通孔１１１を有する第１部分１１と、第２貫通孔１２１を有する第２部分１２とを有する。第１貫通孔１１１と第２貫通孔１２１の少なくともいずれか一方には、内面に雌ネジ部Ｓが設けられている。この点、第１実施形態と異なる。
【００５２】
本実施形態では、詳細には、第１貫通孔１１１の内面の一部に雌ネジ部Ｓが設けられている。ただし、これは例示である。例えば、第１貫通孔１１１の内面全体に雌ネジ部が設けられてもよい。また、第１貫通孔１１１に代えて、或いは、第１貫通孔１１１に加えて、第２貫通孔１２１の内面に雌ネジ部が設けられてもよい。雌ネジ部Ｓが設けられることで、雌型部材１０と雄型部材２０との間にケーブルＣを挟んだ状態で、ケーブル固定装置２にネジ１０４を仮止めすることができる。このために、ケーブル固定装置２が取付対象部に取り付けられる前に、ケーブル固定装置２からケーブルＣが外れてしまう可能性を低減できる。
【００５３】
なお、第１貫通孔１１１及び第２貫通孔１２１の少なくとも一方に設けられる雌ネジ部Ｓは、ネジ１０４を取付対象物に取り付ける際に、ねじ切れる程度に設けられるのが好ましい。また、場合によっては、第１貫通孔１１１及び第２貫通孔１２１に雌ネジ部Ｓを設けず、ネジ１０４がセルフタップネジである構成としてもよい。
【００５４】
第２実施形態のケーブル固定装置２は、第１実施形態と同じ効果を有する。また、第２実施形態のケーブル固定装置２によれば、ネジ１０４の仮止めによって、作業途中においてケーブルＣが外れる可能性を低減できる。更に、ネジ１０４が仮止めできるために、作業中にネジ１０４を紛失する可能性を低減できる。
＜第３実施形態＞
【００５５】
次に、第３実施形態のケーブル固定装置について説明する。第３実施形態のケーブル固定装置は、第１実施形態のケーブル固定装置１の構成と概ね同様である。第３実施形態のケーブル固定装置の説明にあたっては、第１実施形態と重複する部分については同一の符号を付し、特に説明の必要がない場合には、その説明を省略する。
【００５６】
図１３は、本発明の第３実施形態に係るケーブル固定装置３の概略側面図である。図１３に示すように、第３実施形態のケーブル固定装置３は、雌型部材１０と雄型部材２０とを連結する可能性部材３０を有する。すなわち、雌型部材１０と雄型部材２０とは１つに繋がった部材となっており、この点、第１実施形態の構成と異なる。本実施形態では、可撓性部材３０の一端は、第２部分１２と繋がる。可撓性部材３０の他端は挿入部２１と繋がる。
【００５７】
可撓性部材３０は、雌型部材１０及び雄型部材２０と同一の材質であってよい。また、可撓性部材３０は、雌型部材１０及び雄型部材２０と異なる材質の部材であってもよい。この場合には、可撓性部材３０は、締結具又は接着剤等によって雌型部材１０及び雄型部材２０に連結される。可撓性部材３０は、雌型部材１０及び雄型部材２０に繋がる端部側に比べて中央部側が薄く設けられるのが好ましい。これにより、可撓性部材３０は、湾曲し易くなる。
【００５８】
図１４は、本発明の第３実施形態に係るケーブル固定装置３の概略側面図で、雄型部材２０が雌型部材１０に挿入された状態を示す図である。雄型部材２０は、図１３に示す状態から反転されて、雌型部材１０に挿入される。本実施形態では、雄型部材２０の挿入方向を間違え難い。このために、雄型部材２０は逆挿入防止突起２３を有しなくてもよい。
【００５９】
本実施形態のケーブル固定装置３では、雌型部材１０と雄型部材２０とが連結されているので、作業時に雌型部材１０と雄型部材２０を別々に準備する必要がない。このために、作業性を向上することが可能である。その他、第３実施形態のケーブル固定装置３は、第１実施形態と同一の効果を有する。
＜その他＞
【００６０】
以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００６１】
また、本発明のケーブル固定装置は、冷蔵庫に限らず、電源コードを有する他の電気機器にも適用可能である。また、本発明のケーブル固定装置は、電源コードの固定に限らず、他のケーブルの固定にも適用可能である。
【符号の説明】
【００６２】
１、２、３    ケーブル固定装置
１０    雌型部材
１０ａ    挿入口
１１    第１部分
１２    第２部分
１３    第３部分
１４    突出部
２０    雄型部材
２１    挿入部
２１ａ    端面
２１ｂ、２１ｃ    傾斜面
２２    第３貫通孔
２３    逆挿入防止突起
２４ａ、２４ｂ    抜け止め部
３０    可撓性部材
１００    冷蔵庫（電気機器）
１０２    電源コード（ケーブル）
１０４    ネジ
１１１    第１貫通孔
１２１    第２貫通孔
Ｃ    ケーブル
Ｓ    雌ネジ部
【図１】
0006700103.tif 000002
【図２】
0006700103.tif 000003
【図３】
0006700103.tif 000004
【図４】
0006700103.tif 000005
【図５】
0006700103.tif 000006
【図６】
0006700103.tif 000007
【図７】
0006700103.tif 000008
【図８】
0006700103.tif 000009
【図９】
0006700103.tif 000010
【図１０】
0006700103.tif 000011
【図１１】
0006700103.tif 000012
【図１２】
0006700103.tif 000013
【図１３】
0006700103.tif 000014
【図１４】
0006700103.tif 000015